(57)【要約】一態様によれば、無線ノードは、所与の送信時間インターバルにおける１つ以上の他の無線ノードへのデータの送信に用いられる参照信号アンテナポートのセットを、使用可能であり、かつ、周波数及び／又は時間次元において異なる参照信号密度を有する複数の参照信号アンテナポートを含む、参照信号アンテナポートの複数のセットから選択する。無線ノードは、参照信号の割り当てを示し、かつ、参照信号アンテナポートの選択されたセットの表示を含むメッセージを、第２の無線ノードへ送信する。
2019537331.tif 000002
【特許請求の範囲】
【請求項１】
第１の無線ノード（３０）における方法（５００）であって、前記方法（５００）は、
所与の送信時間インターバルにおける１つ以上の他の無線ノードへのデータの送信又は１つ以上の他の無線ノードからのデータの受信に用いられる参照信号アンテナポートのセットを、使用可能な参照信号アンテナポートの複数のセットから選択することであって、参照信号アンテナポートの前記複数のセットは、周波数次元、時間次元、又はその両方において異なる参照信号密度を有する複数の参照信号アンテナポートを含む、選択すること（５０２）と、
第２の無線ノード（５０）に対する参照信号の割り当てを示すメッセージを、前記第２の無線ノード（５０）へ送信することであって、前記メッセージは、参照信号アンテナポートの前記選択されたセットの表示を含む、送信すること（５０４）と、を含む方法。
【請求項２】
請求項１に記載の方法（５００）であって、前記メッセージは、参照信号アンテナポートの前記選択されたセットがデータの前記送信又は受信に使用されるマルチレイヤ送信のレイヤ数を示す、方法。
【請求項３】
請求項１又は２に記載の方法（５００）であって、前記メッセージは、複数の値のうちの１つ以上の値を示し、前記示された１つ以上の値は、１つ以上の参照信号アンテナポートの前記選択されたセットに対応し、前記複数の値は、異なる参照信号密度及び／又は参照信号アンテナポートの前記選択されたセットが使用される異なる数のレイヤを有する、複数の参照信号アンテナポートに対応する、方法。
【請求項４】
請求項３に記載の方法（５００）であって、前記複数の値は、使用可能な参照信号アンテナポートの前記複数のセットの全てに対応する、単一セットの値である、方法。
【請求項５】
請求項１から４のいずれか１項に記載の方法（５００）であって、前記メッセージは、マルチレイヤ送信における異なるレイヤについての異なる参照信号密度を、前記第２の無線ノード（５０）に知らせる、方法。
【請求項６】
請求項１から５のいずれか１項に記載の方法（５００）であって、前記メッセージを送信すること（５０４）は、スケジューリングメッセージを送信することを含む、及び／又は、前記参照信号アンテナポートは、復調参照信号（ＤＭ−ＲＳ）アンテナポートである、方法。
【請求項７】
請求項１から６のいずれか１項に記載の方法（５００）であって、データの前記送信又は受信は、マルチレイヤ多入力多出力（ＭＩＭＯ）送信の１つ以上のレイヤで行われる、方法。
【請求項８】
請求項１から７のいずれか１項に記載の方法（５００）であって、前記参照信号アンテナポートは、符号‐時間‐周波数グリッド上のマッピングに対応する、方法。
【請求項９】
第１の無線ノード（３０）であって、前記第１の無線ノード（３０）は、
所与の送信時間インターバルにおける１つ以上の他の無線ノードへのデータの送信又は１つ以上の他の無線ノードからのデータの受信に用いられる参照信号アンテナポートのセットを、使用可能な参照信号アンテナポートの複数のセットから選択し、ここで、参照信号アンテナポートの前記複数のセットは、周波数次元、時間次元、又はその両方において異なる参照信号密度を有する複数の参照信号アンテナポートを含み、
第２の無線ノード（５０）に対する参照信号の割り当てを示すメッセージを、前記第２の無線ノード（５０）へ送信する、ように構成され、前記メッセージは、参照信号アンテナポートの前記選択されたセットの表示を含む、第１の無線ノード。
【請求項１０】
請求項９に記載の第１の無線ノード（３０）であって、前記メッセージは、参照信号アンテナポートの前記選択されたセットがデータの前記送信又は受信に使用されるマルチレイヤ送信のレイヤ数を示す、第１の無線ノード。
【請求項１１】
請求項９又は１０に記載の第１の無線ノード（３０）であって、前記メッセージは、複数の値のうちの１つ以上の値を示し、前記示された１つ以上の値は、１つ以上の参照信号アンテナポートの前記選択されたセットに対応し、前記複数の値は、異なる参照信号密度及び／又は参照信号アンテナポートの前記選択されたセットが使用される異なる数のレイヤを有する、複数の参照信号アンテナポートに対応する、第１の無線ノード。
【請求項１２】
請求項１１に記載の第１の無線ノード（３０）であって、前記複数の値は、使用可能な参照信号アンテナポートの前記複数のセットの全てに対応する、単一セットの値である、第１の無線ノード。
【請求項１３】
請求項９から１２のいずれか１項に記載の第１の無線ノード（３０）であって、前記メッセージは、マルチレイヤ送信における異なるレイヤについての異なる参照信号密度を、前記第２の無線ノード（５０）に知らせる、第１の無線ノード。
【請求項１４】
請求項９から１３のいずれか１項に記載の第１の無線ノード（３０）であって、
スケジューリングメッセージを送信することによって前記メッセージを送信するように更に構成される、及び／又は、前記参照信号アンテナポートは、復調参照信号（ＤＭ−ＲＳ）アンテナポートである、第１の無線ノード。
【請求項１５】
請求項９から１４のいずれか１項に記載の第１の無線ノード（３０）であって、データの前記送信又は受信は、マルチレイヤ多入力多出力（ＭＩＭＯ）送信の１つ以上のレイヤで行われる、第１の無線ノード。
【請求項１６】
請求項９から１５のいずれか１項に記載の第１の無線ノード（３０）であって、前記参照信号アンテナポートは、符号‐時間‐周波数グリッド上のマッピングに対応する、第１の無線ノード。
【請求項１７】
請求項９から１６のいずれか１項に記載の第１の無線ノードであって、前記第１の無線ノード（３０）は基地局であり、前記第２の無線ノード（５０）はユーザ装置（ＵＥ）である、第１の無線ノード。
【請求項１８】
第２の無線ノード（５０）における方法（７００）であって、前記方法（７００）は、
前記第２の無線ノード（５０）に対する参照信号の割り当てを示すメッセージを、第１の無線ノード（３０）から受信することであって、前記メッセージは、前記第２の無線ノード（５０）に既知の、参照信号アンテナポートの使用可能な複数のセットから選択された、参照信号アンテナポートのセットの表示を含み、参照信号アンテナポートの前記複数のセットは、周波数次元、時間次元、又はその両方において異なる参照信号密度を有する複数の参照信号アンテナポートを含む、受信すること（７０２）と、
前記受信された表示から、参照信号アンテナポートの表示セットを識別すること（７０４）と、を含む方法。
【請求項１９】
請求項１８に記載の方法（７００）であって、前記メッセージは、参照信号アンテナポートの前記選択されたセットがデータの送信又は受信に使用されるマルチレイヤ送信のレイヤ数を示す、方法。
【請求項２０】
請求項１８又は１９に記載の方法（７００）であって、前記メッセージは、複数の値のうちの１つ以上の値を示し、前記示された１つ以上の値は、１つ以上の参照信号アンテナポートの前記選択されたセットに対応し、前記複数の値は、異なる参照信号密度及び／又は参照信号アンテナポートの前記選択されたセットが使用される異なる数のレイヤを有する、複数の参照信号アンテナポートに対応する、方法。
【請求項２１】
請求項２０に記載の方法（７００）であって、前記複数の値は、使用可能な参照信号アンテナポートの前記複数のセットの全てに対応する、単一セットの値である、方法。
【請求項２２】
請求項１８から２１のいずれか１項に記載の方法（７００）であって、前記メッセージは、マルチレイヤ送信における異なるレイヤについての異なる参照信号密度を、前記第２の無線ノード（５０）に知らせる、方法。
【請求項２３】
請求項１８から２２のいずれか１項に記載の方法（７００）であって、前記メッセージは、スケジューリングメッセージを含む、及び／又は、前記参照信号アンテナポートは、復調参照信号（ＤＭ−ＲＳ）アンテナポートである、方法。
【請求項２４】
請求項１８から２３のいずれか１項に記載の方法（７００）であって、前記参照信号アンテナポートは、符号‐時間‐周波数グリッド上のマッピングに対応する、方法。
【請求項２５】
請求項１８に記載の方法（７００）であって、前記表示された参照信号アンテナポートを使用してデータを受信することを更に含み、前記表示された参照信号アンテナポートを使用することは、参照信号アンテナポートの前記表示セットに対して参照信号シンボルを使用してチャネル推定を実行することを含む、方法。
【請求項２６】
請求項１８に記載の方法（７００）であって、参照信号アンテナポートの前記表示セット上の参照信号シンボルを伴って、前記第１の無線ノード（３０）へデータを送信することを更に含む、方法。
【請求項２７】
請求項２５又は２６に記載の方法（７００）であって、データの送信又は受信は、マルチレイヤ多入力多出力（ＭＩＭＯ）送信の１つ以上のレイヤで行われる、方法。
【請求項２８】
第２の無線ノード（５０）であって、前記第２の無線ノード（５０）は、
前記第２の無線ノード（５０）に対する参照信号の割り当てを示すメッセージを、第１の無線ノード（３０）から受信し、ここで、前記メッセージは、前記第２の無線ノードに既知の、参照信号アンテナポートの使用可能な複数のセットから選択された、参照信号アンテナポートのセットの表示を含み、参照信号アンテナポートの前記複数のセットは、周波数次元、時間次元、又はその両方において異なる参照信号密度を有する複数の参照信号アンテナポートを含み、
前記受信された表示から、参照信号アンテナポートの表示セットを識別する、ように構成される、第２の無線ノード。
【請求項２９】
請求項２８に記載の第２の無線ノード（５０）であって、前記メッセージは、参照信号アンテナポートの前記選択されたセットがデータの送信又は受信に使用されるマルチレイヤ送信のレイヤ数を示す、第２の無線ノード。
【請求項３０】
請求項２８又は２９に記載の第２の無線ノード（５０）であって、前記メッセージは、複数の値のうちの１つ以上の値を示し、前記示された１つ以上の値は、１つ以上の参照信号アンテナポートの前記選択されたセットに対応し、前記複数の値は、異なる参照信号密度及び／又は参照信号アンテナポートの前記選択されたセットが使用される異なる数のレイヤを有する、複数の参照信号アンテナポートに対応する、第２の無線ノード。
【請求項３１】
請求項３０に記載の第２の無線ノード（５０）であって、前記複数の値は、使用可能な参照信号アンテナポートの前記複数のセットの全てに対応する、単一セットの値である、第２の無線ノード。
【請求項３２】
請求項２８から３１のいずれか１項に記載の第２の無線ノード（５０）であって、前記メッセージは、マルチレイヤ送信における異なるレイヤについての異なる参照信号密度を、前記第２の無線ノード（５０）に知らせる、第２の無線ノード。
【請求項３３】
請求項２８から３２のいずれか１項に記載の第２の無線ノード（５０）であって、前記メッセージは、スケジューリングメッセージを含む、及び／又は、前記参照信号アンテナポートは、復調参照信号（ＤＭ−ＲＳ）アンテナポートである、第２の無線ノード。
【請求項３４】
請求項２８から３３のいずれか１項に記載の第２の無線ノード（５０）であって、前記参照信号アンテナポートは、符号‐時間‐周波数グリッド上のマッピングに対応する、第２の無線ノード。
【請求項３５】
請求項２８に記載の第２の無線ノード（５０）であって、参照信号アンテナポートの前記表示セットを使用してデータを受信するように更に構成され、参照信号アンテナポートの前記表示セットを使用することは、参照信号アンテナポートの前記表示セットに対して参照信号シンボルを使用してチャネル推定を実行することを含む、第２の無線ノード。
【請求項３６】
請求項２８に記載の第２の無線ノード（５０）であって、参照信号アンテナポートの前記表示セット上の参照信号シンボルを伴って、前記第１の無線ノード（３０）へデータを送信するように更に構成される、第２の無線ノード。
【請求項３７】
請求項３５又は３６に記載の第２の無線ノード（５０）であって、データの送信又は受信は、マルチレイヤ多入力多出力（ＭＩＭＯ）送信の１つ以上のレイヤで行われる、第２の無線ノード。
【請求項３８】
請求項２８から３７のいずれか１項に記載の第２の無線ノード（５０）であって、前記第２の無線ノード（５０）はユーザ装置（ＵＥ）であり、前記第１の無線ノード（３０）は基地局である、第２の無線ノード。
【請求項３９】
無線通信ネットワークにおいて動作するように構成された第１の無線ノードであって、前記第１の無線ノードは、送受信回路と、前記送受信回路に動作可能に結合された処理回路とを備え、
前記処理回路は、所与の送信時間インターバルにおける１つ以上の他の無線ノードへのデータの送信又は１つ以上の他の無線ノードからのデータの受信に用いられる参照信号アンテナポートのセットを、使用可能な参照信号アンテナポートの複数のセットから選択するように構成され、参照信号アンテナポートの前記複数のセットは、周波数次元及び／又は時間次元において異なる参照信号密度を有する複数の参照信号アンテナポートを含み、
前記処理回路は、第２の無線ノードへの参照信号の割り当てを示すメッセージを、前記送受信回路を介して前記第２の無線ノードへ送信するように構成され、前記メッセージは、参照信号アンテナポートの前記選択されたセットの表示を含む、第１の無線ノード。
【請求項４０】
無線通信ネットワークにおいて動作するように構成された第２の無線ノードであって、前記第２の無線ノードは、送受信回路と、前記送受信回路に動作可能に結合された処理回路とを備え、
前記処理回路は、前記第２の無線ノードへの参照信号の割り当てを示すメッセージを、第１の無線ノードから受信するように構成され、前記メッセージは、前記第２の無線ノードに既知の、参照信号アンテナポートの使用可能な複数のセットから選択された、参照信号アンテナポートのセットの表示を含み、参照信号アンテナポートの前記複数のセットは、周波数次元及び／又は時間次元において異なる参照信号密度を有する複数の参照信号アンテナポートを含み、
前記処理回路は、前記受信された表示から、参照信号アンテナポートの表示セットを識別するように構成される、第２の無線ノード。
【発明の詳細な説明】
【技術分野】
【０００１】
本願は、全体として、無線通信ネットワークに関するものであり、より具体的には、そのようなネットワークにおいて送信される復調用参照信号の密度を適応させる技術に関するものである。
【背景技術】
【０００２】
第３世代パートナーシッププロジェクト（３ＧＰＰ）は、帯域幅及び使用可能性の改善に対する、増え続ける需要をサポートするために、いわゆる第５世代（５Ｇ）の無線通信システム用の規格を開発中である。このシステムのアクセスネットワーク部分（即ち、５Ｇシステムの無線アクセスネットワーク（ＲＡＮ）部分）の初期提案は、「Ｎｅｗ Ｒａｄｉｏ」（ＮＲ）又は「Ｎｅｘｔ Ｇｅｎｅｒａｔｉｏｎ」（ＮＧ）といった名称を有する、この新しいＲＡＮに言及している。
【０００３】
名称によらず、５Ｇモバイル無線システムの物理レイヤは、多数の送信ヌメロロジー、可変のデータ送信時間間隔、及び遅延クリティカルなアプリケーション用の早期復号についてのシステムのサポートからの膨大な数の異なる送信シナリオを扱うことが予想される。これらの新たなシナリオは、ロングタームエボリューション（ＬＴＥ）と称される第４世代のＲＡＮが最初に設計された際のケースよりも更にフレキシブルな物理レイヤの必要性を課す。これらの新たな送信シナリオに加えて、５Ｇシステムの物理レイヤは、ＬＴＥと同様、信号対干渉及び雑音比（ＳＩＮＲ）、ドップラー、遅延スプレッド、及びチャネル・リッチネス（richness）の大きな変動に関して異なる複数の送信特性を扱わなければならない。
【０００４】
第４世代（４Ｇ）ネットワークの開発に関しては、物理レイヤの制御及びデータチャネル信号の同期復調用の参照信号を設計する従来の方法は、特定の送信モード用又は特定のアンテナ配置用に設定されうる、いくつかの参照信号パターンを定義することである。ＬＴＥでは、セル固有参照信号（ＣＲＳ）として知られる下りリンク参照信号は、（３ＧＰＰの用語でユーザ装置又はＵＥと称される）全ての無線デバイスによる、下りリンク伝搬チャネルの特性の測定及び推定に使用するために、各セルにおいてブロードキャストされる。図１は、下りリンクにおける１、２又は４送信アンテナのケースについてのＬＴＥスロット内のＣＲＳパターンを示す。同図では、（ＡＰ０、ＡＰ１、ＡＰ２及びＡＰ３とラベルが付された）最大４アンテナポートのそれぞれについてのＣＲＳシンボルが、ＬＴＥスロット内のリソースエレメントの互いに排他的なセットで送信されることがわかる。マルチポートのシナリオ（２Ｔｘアンテナ及び４アンテナのシナリオ）では、各送信（ＴＸ）アンテナポートから、他のいずれかのアンテナポートによるＣＲＳシンボルの送信に使用されているリソースエレメントにおいて「ゼロ電力」シンボルが送信されることがわかる。
【０００５】
これらのＣＲＳパターンは、ブロードキャストされ、かつ、ＵＥ固有ではないため、統計的に設定されるとともに、無線リンク状態に適応させられることはできない。しかし、ＬＴＥは、無線リンク状態にある程度適応可能な、下りリンクにおけるＵＥ固有の復調用参照信号（ＤＭ−ＲＳ）もサポートしている。これらは、特に、複数のＭＩＭＯ（多入力多出力）レイヤの送受信を可能にするための無線リンク状態の測定を容易にするのに有用である。
【０００６】
図２は、ＬＴＥの送信モード９及び１０で使用されるＤＭ−ＲＳを示しており、直交周波数分割多重（ＯＦＤＭ）時間‐周波数グリッドのリソースエレメントへのＤＭ−ＲＳのマッピングが、送信レイヤの数に依存している。ＬＴＥは、時間で（最大４レイヤ用の）長さ２の又は（４レイヤ超用の）長さ４の、ウォルシュ・アダマール（Walsh-Hadamard）直交カバーコード（ＯＣＣ）を使用することにより、下りリンクにおいて最大８レイヤの送信をサポートしている。長さ４のＯＣＣの場合、カバーコードは、ＬＴＥサブフレームを定め、かつ、ＬＴＥにおけるデータチャネルの送信時間間隔（ＴＴＩ）にも相当する、連続する２つのスロットにわたって適用される。ＯＣＣの使用は、図２において破線のボックスにより示されており、長さ２のＯＣＣの場合、２つのカバーコードは［１ １］及び［１ −１］である。
【０００７】
図２の左側に示されている最大２レイヤのケースでは、１又は２アンテナポートのそれぞれに対するＤＭ−ＲＳは、各ＬＴＥスロット内の６つのリソースエレメントを使用して送信される。２レイヤが送信される場合、各アンテナポートのＤＭ−ＲＳは、同じ６つのリソースエレメントを使用して各スロットで送信され、２つのアンテナポートのＤＭ−ＲＳは直交カバーコードによって互いに分離される。図２の右側に示すように、２レイヤ超のケースでは、２スロットが一緒に使用され、これにより、各スロットの長さ２のＯＣＣを、長さ４のＯＣＣに効果的に拡張して長さ４のＯＣＣにすることができる。８レイヤのケースでは、アンテナポートのうちの４つは、２スロット内の１２個のリソースエレメントの第１のセットでそれぞれのＤＭ−ＲＳを送信し、ＤＭ−ＲＳは２スロットにまたがる長さ４のＯＣＣによって分離される。同様に、残りの４つのポートは、２スロット内の１２個のリソースエレメントの第２のセットでそれぞれのＤＭ−ＲＳを送信し、ＤＭ−ＲＳは同様に２スロットにまたがる長さ４のＯＣＣによって分離される。ＡＰ０及びＡＰ２に対するＤＭ−ＲＳ用のＯＣＣ（これらは異なるセットのリソースエレメントで送信される）は、［１ １ １ １］であり、ＡＰ１及びＡＰ３に対するＤＭ−ＲＳ用のＯＣＣ（これらはそれぞれリソースエレメントの第１及び第２のセットで送信される）は、［１ −１ １ −１］であり、ＡＰ４及びＡＰ５に対するＤＭＲ−ＲＳ用のＯＣＣ（これらはそれぞれリソースエレメントの第１及び第２のセットで送信される）は、［１ １ −１ −１］であり、ＡＰ６及びＡＰ７に対するＤＭ−ＲＳ（それぞれリソースエレメントの第１及び第２のセット）は、［１ −１ −１ １］である。
【０００８】
ＬＴＥの復調用参照信号パターンは、５Ｇで対処される遅延クリティカルな送信を扱うようには設計されていない。特に、５Ｇシステムは、早期復号を可能にするために、ＤＭ−ＲＳが各ＴＴＩの最初又はその近くで送信されることを必要とすると予想される。図２からわかるように、ＬＴＥ ＤＭ−ＲＳ設計は、ＤＭ−ＲＳシンボルを各スロットの最後に配置する。
【０００９】
図３は、早期復号の要求条件を満たすために５Ｇに対して提案されているＤＭ−ＲＳ構成を示す。この構成では、最大８レイヤのＭＩＭＯ送信がサポートされ、最大４レイヤのＤＭ−ＲＳの送信は、いわゆる４コム（Comb）、即ち、４サブキャリアのインタリーブ距離を有するインタリーブＦＤＭ、により行われる一方、４レイヤ超のＭＩＭＯ送信は、周波数で１コムあたりの長さ２のＯＣＣを導入することによって行われる。このＤＭ−ＲＳ構成では、データの復調及び復号は、２番目のＯＦＤＭシンボルのほぼ受信直後に開始できる。図３に示す例では、１２個のサブキャリアの物理リソースブロック（ＰＲＢ）が想定されており、これは、カバーコードが２つの連続するＰＲＢ間の、周波数領域における依存性をもたらすため、周波数における長さ２のＯＣＣがＰＲＢバンドリング（bundling）に依存することを意味する。
【００１０】
図３の左側は、アンテナポート０及び４用のＤＭ−ＲＳの位置を示す。これら２つのポート用のＤＭ−ＲＳは、（２４サブキャリアにわたる）ＰＲＢバンドル内の同じ６つのリソースエレメントを占有し、互いに長さ２のＯＣＣで分離される。右側に進むと、図３は次に、アンテナポート１及び５用のＤＭ−ＲＳコンフィギュレーションを示しており、同図に示すように、これらは、アンテナポート０及び４に使用されているものとは異なるリソースエレメントを占有し、それらのリソースエレメントと実際に周波数多重されている。やはり、アンテナポート１及び５用のＤＭ−ＲＳは、長さ２のＯＣＣによって互いに分離されている。更に右側に進むと、図３は、アンテナポート２及び４用のＤＭ−ＲＳコンフィギュレーション、次にアンテナポート３及び７用のＤＭ−ＲＳコンフィギュレーションを示している。ＰＲＢバンドリング及びＤＭ−ＲＳの周波数多重は、全てのＤＭ−ＲＳシンボルが時間スロット内の早い時期に送信されることを可能にし、図示されるアプローチでは、ＤＭ−ＲＳは２番目のＯＦＤＭシンボルに存在する。これにより、遅延クリティカルなアプリケーションでは、ＤＭ−ＲＳの早期の受信と高速なチャネル推定が可能になる。
【発明の概要】
【００１１】
図２及び図３に示された解決策及び同様の解決策に関する問題は、それらが望ましくないトレードオフを生じるということであり、即ち、ＤＭ−ＲＳパターンが、早期復号の５Ｇ要求条件を満たすことができないか、又は、早期復号の要求条件を満たす提案ＤＭ−ＲＳパターンが、十分に高いＳＩＮＲを有さないユーザ（例えば、セルエッジユーザ）若しくはより高いランクの送信（即ち、より多数の空間レイヤを有する送信）のために十分に良好な無線状態を有しないユーザに対して密度が疎すぎることである。そのようなユーザを効率的にサポートするためには、より密度の高いパターンが必要である。しかし、そのようなより密度の高いパターンは、そのパターンに必要な追加のリソースエレメントに起因して、一般に追加のオーバーヘッドを必要とするであろう。更に、同一の物理リソース内で、共通のＤＭ−ＲＳ構成を用いて、誤り率に関する異なる要求条件を有する情報を同時に送信する方法を決定することが問題である。
【００１２】
ＤＭ−ＲＳ密度、又は他の参照信号密度に対する異なる必要性に対処するための方法は、１つの時間スロットから別の時間スロットに変更できるように、ＤＭ−ＲＳ密度を適応可能にすることである。しかし、ＤＭ−ＲＳ密度の現在の準静的コンフィギュレーションは、異なる要求条件への迅速な適応を可能にするのに十分ではない。更に、ＤＭ−ＲＳの適応性を導入することは追加のシグナリングを必要とする。更にまた、マルチユーザＭＩＭＯ（ＭＵ−ＭＩＭＯ）スケジューリングにおいてＤＭ−ＲＳ密度をＵＥにどのように適応させるかを決定することもまた問題である。
【００１３】
本明細書に記載の技術及び装置の種々の実施形態は、低い密度のアンテナ参照信号又はアンテナポートをマージすることによって、適応可能な参照信号密度が表示され、構造化された方法でＵＥへ送信される解決策を提供することによって、これらの問題のうちの１つ又はいくつかに対処する。このようにして、現在の必要性に応じて密度を適応させることができる。例えば、ＭＵ−ＭＩＭＯスケジューリングでは、いくつかのスケジューリングされたＵＥは他のＵＥより高い参照信号密度を必要とする可能性がある。本開示の技術は、そのようなシナリオにおいて効率的なスケジューリングを容易にする。
【００１４】
以下で詳細に記載のように、適応的な参照信号密度をＵＥにシグナリングする１つの方法は、より高い参照信号密度のシグナリングが、総送信ランク制限を同時に知らせることができるという事実を利用することによる。言い換えれば、低ＳＩＮＲユーザの存在とランクの最良の選択との間の相関関係を利用することによって、下りリンク制御情報（ＤＣＩ）フォーマットにおいてより低いオーバーヘッドのシグナリングの解決策が可能である。
【００１５】
以下で更に詳しく説明するように、本開示の技術のいくつかの実施形態では、モバイルデバイスは、現在のユーザの集団についての要求条件のエンベロープをサポートするための参照信号パターンを、準静的に設定されるか若しくはスケジューリング下りリンク制御メッセージから動的に知らされるか、又はその両方の組み合わせである。参照信号の高密度化（densification）は、低密度の１つ又は複数の参照信号（又はポート）を新しい参照信号（又はポート）にマージすることによって得られる。
【００１６】
このため、参照信号アンテナポートの異なる密度に適応することは、参照信号アンテナポートの使用可能な複数のセット（参照信号アンテナポートの可能性のあるコンフィギュレーション）から、参照信号アンテナポートの１つ以上のセットを選択することによって達成されうる。その場合に、参照信号アンテナポートの複数のセットのうちの少なくとも２つは、異なる密度を有する。したがって、送信又は受信のために選択されうる、参照信号アンテナポートの複数の可能性のあるセットは、（マージされていない）比較的低い密度を有するように物理リソースブロック（ＰＲＢ）に配置された、参照信号アンテナポートの少なくとも１つ以上のセットと、（より低い密度を有するＰＲＢからマージされるかのように）より高い密度を有するようにＰＲＢ内に配置された、参照信号アンテナポートの１つ以上のセットとを含む。後述するように、参照信号アンテナポートの複数のセットのうちのいくつかのセットは、更に高密度の参照信号アンテナポートを含んでもよい。
【００１７】
より高い密度が選択されると、事実上、参照信号ポートの総数（即ち、可能性のある最大ランク）が減少する。説明のために、以下の詳細な説明では、長さ２のＯＣＣと組み合わせて４コムが使用されている、図３に示すＤＭ−ＲＳ設定を、最大８レイヤ／アンテナポートをサポートするベースライン・コンフィギュレーションとして考える。しかし、開示された技術は、他のベースライン・マルチポートＤＭ−ＲＳコンフィギュレーション又は他の参照信号コンフィギュレーションの適応的な高密度化にも適用可能であることが理解されよう。
【００１８】
いくつかの実施形態によれば、第１の無線ノードにおける方法は、所与の送信時間インターバルにおける１つ以上の他の無線ノードへのデータの送信又は当該１つ以上の他の無線ノードからのデータの受信に使用される参照信号（例えば、ＤＭ−ＲＳ）アンテナポートのセットを、使用可能な参照信号アンテナポートの複数のセットから選択することを含む。参照信号アンテナポートの複数のセットは、周波数次元及び／又は時間次元において異なる参照信号密度を有する複数の参照信号アンテナポートを含む。本方法は更に、第２の無線ノードへの参照信号の割り当てを示すメッセージ（例えば、スケジューリングメッセージ）を、第２の無線ノードに送信することを含む。当該メッセージは、参照信号アンテナポートの選択されたセットの表示を含む。
【００１９】
いくつかの実施形態によれば、第２の無線ノードにおける方法は、第１の無線ノードから、第２の無線ノードへの参照信号の割り当てを示すメッセージを受信することを含む。当該メッセージは、第２の無線ノードに既知の、参照信号アンテナポートの使用可能な複数のセットから選択された、参照信号アンテナポートのセットの表示を含み、参照信号アンテナポートの複数のセットは、周波数次元及び／又は時間次元において異なる参照信号密度を有する複数の参照信号アンテナポートを含む。本方法は更に、受信された表示から、参照信号アンテナポートの表示セットを識別することを含む。
【００２０】
いくつかの実施形態によれば、第１の無線ノードは、所与の送信時間インターバルにおける１つ以上の他の無線ノードへのデータの送信又は当該１つ以上の他の無線ノードからのデータの受信に使用される参照信号アンテナポートのセットを、使用可能な参照信号アンテナポートの複数のセットから選択するように構成される。参照信号アンテナポートの複数のセットは、周波数次元、時間次元、又はその両方において異なる参照信号密度を有する複数の参照信号アンテナポートを含む。第１の無線ノードは更に、第２の無線ノードへの参照信号の割り当てを示すメッセージを、第２の無線ノードに送信するように構成される。当該メッセージは、参照信号アンテナポートの選択されたセットの表示を含む。
【００２１】
いくつかの実施形態によれば、第２の無線ノードは、第２の無線ノードへの参照信号の割り当てを示すメッセージを、第１の無線ノードから受信するように構成され、当該メッセージは、第２の無線ノードに既知の、参照信号アンテナポートの使用可能な複数のセットから選択された、参照信号アンテナポートのセットの表示を含み、参照信号アンテナポートの複数のセットは、周波数次元及び／又は時間次元において異なる参照信号密度を有する複数の参照信号アンテナポートを含む。第２の無線ノードは更に、受信された表示から、参照信号アンテナポートの表示セットを識別するように構成される。
【００２２】
いくつかの実施形態によれば、無線通信ネットワーク内で動作するように構成された第１の無線ノードは、送受信回路と、当該送受信回路に動作可能に結合された処理回路とを含む。処理回路は、所与の送信時間インターバルにおける１つ以上の他の無線ノードへのデータの送信又は１つ以上の他の無線ノードからのデータの受信に用いられる参照信号アンテナポートのセットを、使用可能な参照信号アンテナポートの複数のセットから選択するように構成され、参照信号アンテナポートの複数のセットは、周波数次元及び／又は時間次元において異なる参照信号密度を有する複数の参照信号アンテナポートを含む。処理回路は更に、第２の無線ノードへの参照信号の割り当てを示すメッセージを、送受信回路を介して第２の無線ノードへ送信するように構成され、当該メッセージは、参照信号アンテナポートの選択されたセットの表示を含む。
【００２３】
いくつかの実施形態によれば、無線通信ネットワーク内で動作するように構成された第２の無線ノードは、送受信回路と、当該送受信回路に動作可能に結合された処理回路とを含む。処理回路は、第２の無線ノードへの参照信号の割り当てを示すメッセージを、送受信回路を介して第１の無線ノードから受信するように構成され、当該メッセージは、第２の無線ノードに既知の、参照信号アンテナポートの使用可能な複数のセットから選択された、参照信号アンテナポートのセットの表示を含む。参照信号アンテナポートの複数のセットは、周波数次元及び／又は時間次元において異なる参照信号密度を有する複数の参照信号アンテナポートを含む。処理回路は更に、受信された表示から、参照信号アンテナポートの表示セットを識別するよう構成される。
【００２４】
処理回路は、いくつかの例では送受信回路に関連して説明される方法又は装置の任意の例を実行するように構成される。
【００２５】
本発明の更なる態様は、上記で手短に説明された方法に対応する装置、コンピュータプログラム製品、又はコンピュータ読み取り可読記憶媒体、並びに、ならびに上記で手短に説明された装置及び無線デバイスの機能的実装形態を対象としている。
【００２６】
種々の方法及び装置の詳細が以下で提供される。加えて、本開示の技術及び装置の例示の実施形態についての列挙されたリストが提供される。
【図面の簡単な説明】
【００２７】
【図１】図１は、ＬＴＥにおけるＣＲＳパターンを示す。
【図２】図２は、ＬＴＥの下りリンクにおけるＵＥ固有のＤＭ−ＲＳパターンを示す。
【図３】図３は、早期復号を対象とするＤＭ−ＲＳ構成を示す。
【図４】図４は、基地局のようなネットワークノードの例を示すブロック図である。
【図５】図５は、いくつかの実施形態に係る、ネットワークノードにおける方法を示す処理フローチャートである。
【図６】図６は、ＵＥのような無線デバイスの例を示すブロック図である。
【図７】図７は、いくつかの実施形態に係る、無線デバイスにおける方法を示す処理フローチャートである。
【図８Ａ】図８Ａは、いくつかの実施形態に係る、使用可能なポートのセットを示すために２つのインジケータ・ビットを使用したマッピングの例であるテーブルを示す。
【図８Ｂ】図８Ｂは、いくつかの実施形態に係る、図９乃至図１１に例示されたＤＭ−ＲＳ密度を参照するポート番号を有する例示的なアンテナポートテーブルを示す。
【図９】図９は、いくつかの実施形態に係る、ランク６のＤＭ−ＲＳパターンに高密度化される、ベースラインのランク８のＤＭ−ＲＳパターンを示す。
【図１０】図１０は、いくつかの実施形態に係る、ランク４のＤＭ−ＲＳパターンに高密度化される、ランク６のＤＭ−ＲＳパターンを示す。
【図１１】図１１は、いくつかの実施形態に係る、ランク２のＤＭ−ＲＳパターンに高密度化される、ランク４のＤＭ−ＲＳパターンを示す。
【図１２】図１２は、いくつかの実施形態に係る、代替のランク６のパターンに高密度化される、ベースラインのランク８のＤＭ−ＲＳパターンを示す。
【図１３】図１３は、いくつかの実施形態に係る、無線デバイスにおける他の方法を示す処理フローチャートである。
【図１４】図１４は、いくつかの実施形態に係る、ネットワークノードにおける方法の機能表現を示すブロック図である。
【図１５】図１５は、いくつかの実施形態に係る、無線デバイスにおける方法の機能表現を示すブロック図である。
【発明を実施するための形態】
【００２８】
本開示の技術は、既存のＬＴＥシステムと共に使用されるか又は既存のＬＴＥシステムを置き換えるために使用される５Ｇ無線通信システムのための規格において採用されうるように、ＬＴＥ無線通信規格に対する改良の文脈で説明される。より具体的には、本開示の技術は、例えば、物理リソースブロック（ＰＲＢ）あたり１２サブキャリア及びスロットあたり７ＯＦＤＭシンボル（「通常の」サイクリックプレフィックスを想定）等を用いる、ＬＴＥで使用されるもののような直交周波数分割多元接続（ＯＦＤＭＡ）信号構成を使用することによって説明される。しかし、この技術は他の無線通信ネットワーク及び他のＯＦＤＭＡ信号構成に対してより一般的に適用可能であることが理解されるべきである。
【００２９】
更に、「ユーザ装置」又は「ＵＥ」との用語は、本明細書では便宜上、３ＧＰＰ文書で一般的に使用されているように使用されていることを理解されよう。しかし、本開示の技術及び装置の範囲を理解するために、これらの用語は、無線通信ネットワークにおいてアクセス端末として動作するように構成された無線デバイスを指すものとして、それらの無線デバイスが、携帯電話、スマートフォン、ワイヤレスラップトップ、タブレット等の消費者向けデバイスであろうと、産業用アプリケーションに使用される、若しくはインターネットオブシングス（ＩｏＴ）の実現に使用されるマシン・ツー・マシン（Ｍ２Ｍ）デバイスであろうと、より一般的に理解されるべきである。同様に、本明細書で使用されるｅＮＢ及びｅＮｏｄｅＢという用語は、一般に、無線通信システムにおける基地局又は無線アクセスノードを指すと理解されるべきである。
【００３０】
上記のように、ＤＭ−ＲＳを送信するための図２及び図３に示された解決策に関する問題は、それらが望ましくないトレードオフを生じるということであり、即ち、ＤＭ−ＲＳパターンが、早期復号の５Ｇ要求条件を満たすことができないか、又は、早期復号の要求条件を満たす提案ＤＭ−ＲＳパターンが、十分に高いＳＩＮＲを有さないユーザ（例えば、セルエッジユーザ）若しくはより高いランクの送信（即ち、より多数の空間レイヤを有する送信）のために十分に良好な無線状態を有しないユーザに対して密度が疎すぎることである。そのようなユーザを効率的にサポートするためには、より密度の高いパターンが必要であろう。しかし、そのようなより密度の高いパターンは、そのパターンに必要な追加のリソースエレメントに起因して、一般に追加のオーバーヘッドを必要とするであろう。更に、同一の物理リソース内で、共通のＤＭ−ＲＳ構成を用いて、誤り率に関する異なる要求条件を有する情報を同時に送信する方法を知らないことが問題である。
【００３１】
ＤＭ−ＲＳ密度に対する異なる必要性を処理することは、例えば、１つの時間スロットから別の時間スロットに変更できるように、ＤＭ−ＲＳ密度を適応可能にすることによって対処できる。ＤＭ−ＲＳの適応性を導入することは、一般に追加のシグナリングを必要とする。更に、ＭＵ−ＭＩＭＯスケジューリングにおいてＤＭ−ＲＳ密度をＵＥにどのように適応させるかを考え出すことも問題である。
【００３２】
本明細書に記載の技術及び装置の種々の実施形態は、低い密度のアンテナ参照信号又はアンテナポートをマージすることによって、適応可能な参照信号密度が表示され、構造化された方法でＵＥへ送信される解決策を提供することによって、これらの問題のうちの１つ又はいくつかに対処する。このようにして、現在の必要性に応じて密度を適応させることができる。例えば、マルチユーザＭＩＭＯ（ＭＵ−ＭＩＭＯ）スケジューリングでは、いくつかのスケジューリングされたＵＥは他のＵＥより高い参照信号密度を必要とする可能性がある。本開示の技術は、そのようなシナリオにおいて効率的なスケジューリングを容易にする。以下の例示的なシナリオのいくつかでは、ＤＭ−ＲＳが参照信号に使用されているが、この技術は他の参照信号にも適用可能であることを理解されたい。
【００３３】
本明細書に記載の種々の実施形態によれば、任意の所与の時間に使用されうる各アンテナポートは、送信デバイス及び受信デバイスの両方に知られている特定の参照信号構成／パターンと関連付けられる。したがって、本開示の技術の文脈内では、所与のアンテナポートは、特定のＤＭ−ＲＳパターンに対応し、「ＤＭ−ＲＳポート」及び「ＤＭ−ＲＳアンテナポート」という用語は、アンテナポートとＤＭ−ＲＳパターンとの組み合わせを指すものと理解されうる。本明細書で用語が使用されているアンテナポートは、必ずしも単一の物理アンテナポートに対応する必要がないため、アンテナポートのラベル付けは、少なくとも受信デバイスの観点からは任意であることが理解されよう。シングルレイヤ送信又はマルチレイヤ送信のいずれかを受信する受信デバイス（例えば、ＵＥ）は、受信デバイスへ送信された信号の復調を実行するために、送信のランクと同様に、使用される特定の１つ又は複数のポートについてシグナリングメッセージ（例えば、「割り当て」又は「グラント」）を介して通知される必要がある。同じことは、ＤＭ−ＲＳと上りリンク送信に使用されるべき対応するランクとを示すグラントをＵＥが受信する上りリンク送信においても当てはまる。
【００３４】
種々の実施形態では、無線デバイスは、現在のユーザの集団についての要求条件のエンベロープをサポートするために選択された参照信号パターンを、準静的に設定されるか若しくはメッセージ（例えば、スケジューリング下りリンク制御メッセージ）から動的に知らされるか、又はその両方の組み合わせである。困難な信号状態をサポートするためのＤＭ−ＲＳの高密度化は、低密度の１つ又は複数のＤＭ−ＲＳ（又はアンテナポート）を新しいＤＭ−ＲＳ（又はアンテナポート）にマージすることによって得られる。事実上、ＤＭ−ＲＳアンテナポートの総数（即ち、可能性のある最大ランク）は適応可能な方法で減少する。
【００３５】
場合によってはマージされたアンテナポート及び対応するランク制限のシグナリングは、必要なシグナリングを最小限にしながら、ＭＩＭＯ、特にＭＵ−ＭＩＭＯ動作におけるスケジューリングの柔軟性を保つように設計されたＤＣＩフォーマットを介して、物理レイヤ制御シグナリングメッセージで伝えられる。アンテナポートのマージにより生じるＤＭ−ＲＳパターンの高密度化は、多重化された複数のＵＥが異なるＳＩＮＲ状態を有しうるという事実によって動機付けられる。異なるＤＭ−ＲＳパターンを有するアンテナポートの適応的な使用は、様々なシグナリング状態を有する複数のＵＥへの最も適切なマルチランク送信に適合するための改善された能力を提供する。
【００３６】
説明の目的のために、図３に示されるＤＭ−ＲＳ構成は、最大８つのレイヤをサポートするためのベースライン・コンフィギュレーションとして使用され、様々な適応的に得られる高密度化パターンが、このベースライン・コンフィギュレーションから導き出される。しかし、他のＤＭ−ＲＳ構成がベースライン・コンフィギュレーションとして使用されうることが理解されるべきである。
【００３７】
図４は、ネットワークノード３０（例えば、基地局）のような第１の無線ノードの例を示すブロック図であり、当該無線ノードは、ＤＭ−ＲＳのような参照信号についての適応可能な高密度化のための技術の実施形態を実行するよう構成されうる。ネットワークノード３０は、アンテナ３４及び送受信回路３６を介して実現される、無線デバイスに対するエアインタフェース（例えば、下りリンク送信及び上りリンク受信のための、ＬＴＥ若しくは５Ｇエアインタフェース、又はＷＬＡＮエアインタフェース）を提供する。送受信回路３６は、セルラ通信サービス又は必要な場合にはＷＬＡＮサービスの提供を目的として、無線アクセス技術に従って信号を送信及び受信するようまとめて構成された、送信回路、受信回路、及び関連する制御回路を含む。種々の実施形態によれば、セルラ通信サービスは、５Ｇ用の規格を含む、関連する３ＧＰＰセルラ通信規格のうちの任意の１つ以上に従って運用されうる。ネットワークノード３０は更に、コアネットワーク内のノード、他のピア無線ノード、及び／又はネットワーク内の他のタイプのノードと通信するための通信インタフェース回路３８を含む。
【００３８】
ネットワークアクセスノード３０は更に、（複数の）通信インタフェース回路３８又は送受信回路３６と動作可能に結合され、それらを制御するように構成された、１つ以上の処理回路３２を更に含む。処理回路３２は、１つ以上のデジタルプロセッサ４２（例えば、１つ以上のマイクロプロセッサ、マイクロコントローラ、デジタル・シグナル・プロセッサ（ＤＳＰ）、フィールド・プログラマブル・ゲート・アレイ（ＦＰＧＡ）、コンプレックス・プログラマブル・ロジック・デバイス（ＣＰＬＤ）、特定用途向け集積回路（ＡＳＩＣ）、又はそれらの任意の組み合わせ）を含む。より一般的には、処理回路３２は、不変の回路、若しくは、本明細書で教示される機能を実現するプログラム命令の実行により特別に構成されるプログラマブル回路を含みうるか、又は、不変の回路及びプログラマブル回路の何らかの組み合わせを含みうる。（複数の）処理回路４２は、マルチコアであってもよい。
【００３９】
処理回路３２は、メモリ４４を更に含む。いくつかの実施形態において、メモリ４４は、１つ以上のコンピュータプログラム４６を格納し、オプションとして、設定データ４８を格納する。メモリ４４は、コンピュータプログラム４６用の非一時的なストレージを提供し、ディスクストレージ、ソリッドステートメモリストレージ、又はそれらの任意の組み合わせのような、１つ以上のタイプのコンピュータ読み取り可能媒体を含みうる。非限定的な例として、メモリ４４は、処理回路３２内に設けられうる、及び／又は処理回路３２とは別に設けられうる、ＳＲＡＭ、ＤＲＡＭ、ＥＥＰＲＯＭ、及びフラッシュメモリのうちの任意の１つ以上を含みうる。一般に、メモリ４４は、ネットワークノード３０によって使用されるコンピュータプログラム４６及び任意の設定データ４８の、非一時的なストレージを提供する、１つ以上のタイプのコンピュータ読み取り可能記憶媒体を含む。ここで、「非一時的（non-transitory）」は、永久的な、半永久的な、又は少なくとも一時的に永続的なストレージを意味し、例えば、プログラム実行用の、不揮発性メモリ内の長期ストレージ及びワーキングメモリ内のストレージの両方を包含する。
【００４０】
いくつかの実施形態において、ネットワークノード３０の処理回路３２は、所与の送信時間インターバルにおける１つ以上の無線ノードへのデータの送信又は１つ以上の無線ノードからのデータの受信に用いられる参照信号（例えば、ＤＭ−ＲＳ）アンテナポートのセットを、使用可能な参照信号アンテナポートの複数のセットから選択するよう構成され、ここで、参照信号アンテナポートの当該複数のセットは、周波数次元、時間次元、又はその両方において異なる参照信号密度を有する複数の参照信号アンテナポートを含む。ネットワークノード３０の処理回路３２は更に、送受信回路３６を使用して、無線デバイスへの参照信号の割り当てを示すメッセージ（例えば、スケジューリングメッセージ）を当該無線デバイスへ送信するように構成され、当該メッセージは、参照信号アンテナポートの選択されたセットの表示（indication）を含む。
【００４１】
なお、本明細書に記載のこの実施形態及び他の実施形態では、本明細書で説明されるメッセージは、参照信号の割り当てを無線デバイスに一緒に知らせるいくつかのメッセージのうちの１つでありうる。例えば、１６個のポートレイヤ・オプションから成る１つの大きなセットを、単一の下りリンク制御情報（ＤＣＩ）において包括的に識別させるのではなく、いくつかの実施形態では、当該情報の一部を送信するためにＲＲＣシグナリングを使用しうる。例えば、ＲＲＣは、１６個のポートレイヤ・オプションのうちの４つ等のサブセットを識別し、後続のＤＣＩメッセージは、その４つから成るグループ内のどのポートレイヤ・オプションが適用されるかを正確に示す。これは、ＤＣＩシグナリングビットを減らし、ＲＲＣシグナリングはそれほど頻繁には実行されなくてもよい。
【００４２】
いくつかの例では、処理回路３２は更に、送受信回路３６を使用して、無線デバイスへ（及び、オプションとして、マルチユーザＭＩＭＯの場合には１つ以上の他の無線デバイスへ）データを送信するよう構成されており、ここで、当該送信データは参照信号アンテナポートの表示された／選択されたセット上の参照信号シンボルを伴っており、又は、参照信号アンテナポートの選択されたセットを使用して、第２の無線ノードからデータを受信するよう構成されており、ここで、参照信号アンテナポートの選択されたセットを使用することは、参照信号アンテナポートの選択されたセットに対して参照信号シンボルを使用してチャネル推定を実行することを含む。
【００４３】
いくつかの実施形態では、処理回路３２は、図５に示す方法５００のように、無線デバイスへのデータ送信又は無線デバイスからのデータ送信をスケジューリングするための方法を実行するように構成される。本方法５００は、所与の送信時間インターバルにおける１つ以上の無線デバイスへのデータの送信又は当該１つ以上の無線デバイスからのデータの受信に使用される参照信号（例えば、ＤＭ−ＲＳ）アンテナポートのセットを、使用可能な参照信号アンテナポートの複数のセットから選択することを含む（ブロック５０２）。参照信号アンテナポートの複数のセットは、周波数次元、時間次元、又はその両方において異なる参照信号密度を有する複数の参照信号アンテナポートを含む。方法５００は更に、無線ノードに対する参照信号の割り当てを示すメッセージ（例えば、スケジューリングメッセージ）を当該無線ノードへ送信することを含み、当該メッセージは、参照信号アンテナポートの選択されたセットの表示を含む（ブロック５０４）。
【００４４】
メッセージは、参照信号アンテナポートの選択されたセットがデータの送信又は受信に使用されるマルチレイヤ送信のレイヤ数を示しうる。当該メッセージは更に、複数の値のうちの１つ以上の値を示してもよく、当該示された１つ以上の値は、１つ以上の参照信号アンテナポートの選択されたセットに対応し、当該複数の値は、異なる参照信号密度及び／又は参照信号アンテナポートの選択されたセットが使用される異なる数のレイヤを有する、複数の参照信号アンテナポートに対応する。当該複数の値は、使用可能な参照信号アンテナポートの複数のセットの全てに対応する、単一セットの値であってもよい。
【００４５】
場合によっては、当該メッセージは、マルチレイヤ送信における異なるレイヤについての異なる参照信号密度を、第２の無線ノードに知らせる。
【００４６】
他のセットの実施形態では、参照信号アンテナポートの選択されたセットに含まれる参照信号アンテナポートは、異なる参照信号密度を有する、参照信号アンテナポートの選択されたセットに含まれる他の参照信号アンテナポートと直交する、符号‐時間‐周波数又は時間‐周波数パターンを有しうる。複数の参照信号アンテナポートは、周波数コムを含む時間‐周波数パターンを含みうる、及び／又は、周波数次元において異なる密度を有する複数の参照信号アンテナポートは、異なる密度の周波数コムを含みうる。
【００４７】
参照信号アンテナポートの選択されたセットに含まれる参照信号アンテナポートは、使用可能な参照信号アンテナポートの複数のセットの複数の参照信号アンテナポートの複数の時間‐周波数パターンのマージャ（merger）である時間‐周波数パターンを有しうる。参照信号アンテナポートのセットを選択することは、参照信号アンテナポートの選択されたセットの参照信号アンテナポートを提供するためにマージされる時間‐周波数パターンを有する参照信号アンテナポートを選択しないことを含みうる。参照信号アンテナポートは、より低密度のパターンを有する第１及び第２の参照信号アンテナポートの時間‐周波数パターンのマージャである、より高密度の時間‐周波数パターンを有しうる。参照信号アンテナポートは、より高密度のパターンを有する第３及び第４の参照信号アンテナポートの時間‐周波数パターンのマージャである、更に高密度の時間‐周波数パターンを有しうる。
【００４８】
参照信号アンテナポートの選択されたセットは、異なる密度の時間‐周波数パターンを有する複数の参照信号アンテナポートを含みうる。参照信号アンテナポートは、符号‐時間‐周波数グリッド上のマッピングに対応しうる。
【００４９】
場合によっては、データの送信又は受信は、マルチレイヤ多入力多出力（ＭＩＭＯ）送信の１つ以上のレイヤで行われる。
【００５０】
場合によっては、上記で示唆したように、メッセージを送信することがスケジューリングメッセージを送信することを含む、及び／又は、参照信号アンテナポートがＤＭ−ＲＳアンテナポートである。いくつかの例は、ＤＭ−ＲＳアンテナポート及びスケジューリングメッセージを含みうるが、本明細書に記載の技術は、他の参照信号及びメッセージに対してより一般的に適用可能である。
【００５１】
方法５００の追加の例は、いくつかのケースでは、無線デバイスへ（及び、オプションとして、マルチユーザＭＩＭＯの場合には１つ以上の他の無線デバイスへ）データを送信することを含み、当該データは、ＤＭ−ＲＳアンテナポートの表示／選択されたセット上の参照信号シンボル（これらの例では、ＤＭ−ＲＳシンボル）を伴っている。他のケースでは、シグナリングは、上りリンク割り当てを示し、方法５００は更に、表示／選択されたＤＭ−ＲＳアンテナポートを使用して、無線デバイスからデータを受信することを含み、表示／選択されたＤＭ−ＲＳアンテナポートを使用することは、ＤＭ−ＲＳアンテナポートの表示／選択されたセットに対してＤＭ−ＲＳシンボルを使用してチャネル推定を実行することを含む。
【００５２】
いくつかの実施形態では、シグナリングは、２パートのシグナリングを含みうる。そのような実施形態では、スケジューリングメッセージは、ＤＭ−ＲＳアンテナポートの選択されたセットを示す、第１のビットセットと、どのＤＭ−ＲＳアンテナポートが第２の無線ノードに割り当てられるかを示し、かつ、当該割り当てられたＤＭ−ＲＳアンテナポートと関連付けられた送信ランクを示す、第２のビットセットとを含む。第２のビットセットのビット数及び／又は第２のビットの符号化は、第１のビットセットの内容に依存する。
【００５３】
図６は、第２の無線ノードについて本明細書に記載の技術を実行するよう構成された例示的な無線デバイス５０（例えば、ＵＥ）を示している。無線装置５０は、ネットワーク内で動作しうる、かつ、無線デバイスを介してネットワークノード又は他の無線デバイスと通信可能である任意の無線デバイスを表すとも考えられうる。ＵＥ５０は、様々な文脈において、無線通信デバイス、ターゲットデバイス、デバイス・ツー・デバイス（Ｄ２Ｄ）ＵＥ、マシン・ツー・マシン通信（Ｍ２Ｍ）の能力があるマシンタイプＵＥ又はＵＥ、センサ付きＵＥ、ＰＤＡ（パーソナル・デジタル・アシスト）、無線タブレット、モバイル端末、スマートフォン、laptop embedded equipment（ＬＥＥ）、laptop mounted equipment（ＬＭＥ）、無線ＵＳＢドングル、カスタマ構内設備（ＣＰＥ：Customer Premises Equipment）等とも称されることがある。
【００５４】
無線デバイス５０は、アンテナ５４及び送受信回路５６を介して、１つ以上のネットワークノード３０のような１つ以上の無線ノード又は基地局と通信する。送受信回路５６は、セルラ通信サービスの提供を目的として、無線アクセス技術に従って信号を送受信するようまとめて構成された、送信回路、受信回路、及び関連する制御回路を含みうる。
【００５５】
無線デバイス５０は、送受信回路５６と動作可能に結合され、かつ。送受信回路５６を制御する１つ以上の処理回路５２を更に含む。処理回路５２は、１つ以上のデジタル処理回路、例えば１つ以上のマイクロプロセッサ、マイクロコントローラ、ＤＳＰ、ＦＰＧＡ、ＣＰＬＤ、ＡＳＩＣ、又はそれらの任意の組み合わせを含む。より一般的には、処理回路５２は、不変の回路、若しくは、本明細書で教示される機能を実現するプログラム命令の実行により構成されるプログラマブル回路を含みうるか、又は、不変の回路及びプログラムされた回路の何らかの組み合わせを含みうる。処理回路５２は、マルチコアであってもよい。
【００５６】
処理回路５２は、メモリ６４を更に含む。いくつかの実施形態において、メモリ６４は、１つ以上のコンピュータプログラム６６を格納し、オプションとして、設定データ６８を格納する。メモリ６４は、コンピュータプログラム６６用の非一時的なストレージを提供し、ディスクストレージ、ソリッドステートメモリストレージ、又はそれらの任意の組み合わせのような、１つ以上のタイプのコンピュータ読み取り可能媒体を含みうる。非限定的な例として、メモリ６４は、ＳＲＡＭ、ＤＲＡＭ、ＥＥＰＲＯＭ、及びフラッシュメモリのうちの任意の１つ以上を含み、これらは、処理回路５２内に設けられうる、及び／又は処理回路５２とは別に設けられうる。一般に、メモリ６４は、無線デバイス５０によって使用されるコンピュータプログラム６６及び任意の設定データ６８の、非一時的なストレージを提供する、１つ以上のタイプのコンピュータ読み取り可能記憶媒体を含む。
【００５７】
したがって、いくつかの実施形態では、無線デバイス５０の処理回路５２は、第２の無線ノードとして、ＵＥへの参照信号（例えば、ＤＭ−ＲＳ）の割り当てを示すメッセージ（例えば、スケジューリングメッセージ）を受信するために送受信回路５６を使用するように構成され、ここで、当該メッセージは、ＵＥに既知の、参照信号アンテナポートの使用可能な複数のセットから選択された、参照信号アンテナポートのセットの表示を含み、参照信号アンテナポートの複数のセットは、周波数次元及び／又は時間次元において異なる参照信号密度を有する複数の参照信号アンテナポートを含む。処理回路５２は更に、受信された表示から、参照信号アンテナポートの表示セットを識別するよう構成される。
【００５８】
場合によっては、処理回路５２は更に、表示／選択された基準信号アンテナポートを使用して、送受信回路５６を介してデータを受信するよう構成され、表示／選択された基準信号アンテナポートを使用することは、参照信号アンテナポートの表示／選択されたセットに対して参照信号シンボルを使用してチャネル推定を実行することを含む。他のケースでは、シグナリングは上りリンク割り当てを示し、処理回路５２は更に、参照信号アンテナポートの表示／選択されたセット上の参照信号シンボルを伴ってデータを送信するために送受信回路５６を使用するように構成される。
【００５９】
いくつかの実施形態において、無線デバイス５０は、図７に示すような方法７００を実行するように構成される。方法７００は、無線デバイスに対する参照信号の割り当てを示すスケジューリングメッセージを受信することを含み、当該スケジューリングメッセージは、無線デバイスに既知の、参照信号アンテナポートの使用可能な複数のセットから選択された、参照信号アンテナポートのセットの表示を含み、参照信号アンテナポートの複数のセットは、周波数次元及び／又は時間次元において異なる参照信号密度を有する複数の参照信号アンテナポートを含む（ブロック７０２）。方法７００は更に、受信された表示から、参照信号アンテナポートの表示セットを識別することを含む（ブロック７０４）。
【００６０】
メッセージは、参照信号アンテナポートの選択されたセットがデータの送信又は受信に使用されるマルチレイヤ送信のレイヤ数を示しうる。当該メッセージは更に、複数の値のうちの１つ以上の値を示してもよく、当該示された１つ以上の値は、１つ以上の参照信号アンテナポートの選択されたセットに対応し、当該複数の値は、異なる参照信号密度及び／又は参照信号アンテナポートの選択されたセットが使用される異なる数のレイヤを有する、複数の参照信号アンテナポートに対応する。当該複数の値は、使用可能な参照信号アンテナポートの複数のセットの全てに対応する、単一セットの値であってもよい。
【００６１】
場合によっては、当該メッセージは、マルチレイヤ送信における異なるレイヤについての異なる参照信号密度を、第２の無線ノードに知らせる。
【００６２】
他のセットの実施形態では、参照信号アンテナポートの選択されたセットに含まれる参照信号アンテナポートは、異なる参照信号密度を有する、参照信号アンテナポートの選択されたセットに含まれる他の参照信号アンテナポートと直交する、符号‐時間‐周波数又は時間‐周波数パターンを有しうる。複数の参照信号アンテナポートは、周波数コムを含む時間‐周波数パターンを含みうる、及び／又は、周波数次元において異なる密度を有する複数の参照信号アンテナポートは、異なる密度の周波数コムを含みうる。
【００６３】
参照信号アンテナポートの選択されたセットに含まれる参照信号アンテナポートは、使用可能な参照信号アンテナポートの複数のセットの複数の参照信号アンテナポートの複数の時間‐周波数パターンのマージャである時間‐周波数パターンを有しうる。参照信号アンテナポートのセットを選択することは、参照信号アンテナポートの選択されたセットの参照信号アンテナポートを提供するためにマージされる時間‐周波数パターンを有する参照信号アンテナポートを選択しないことを含みうる。参照信号アンテナポートは、より低密度のパターンを有する第１及び第２の参照信号アンテナポートの時間‐周波数パターンのマージャである、より高密度の時間‐周波数パターンを有しうる。参照信号アンテナポートは、より高密度のパターンを有する第３及び第４の参照信号アンテナポートの時間‐周波数パターンのマージャである、更に高密度の時間‐周波数パターンを有しうる。
【００６４】
参照信号アンテナポートの選択されたセットは、異なる密度の時間‐周波数パターンを有する複数の参照信号アンテナポートを含みうる。参照信号アンテナポートは、符号‐時間‐周波数グリッド上のマッピングに対応しうる。
【００６５】
場合によっては、方法７００は更に、表示／選択された参照信号アンテナポートを使用してデータを受信することを含み、表示／選択された参照信号アンテナポートを使用することは、参照信号アンテナポートの表示／選択されたセットに対して参照信号シンボルを使用してチャネル推定を実行することを含む。他のケースでは、シグナリングは上りリンク割り当てを示し、方法７００は更に、参照信号アンテナポートの表示／選択されたセット上の参照信号シンボルを伴ってデータを送信することを含む。場合によっては、データの送信又は受信は、マルチレイヤＭＩＭＯ送信の１つ以上のレイヤで行われる。
【００６６】
場合によっては、上記で示唆したように、メッセージを送信することがスケジューリングメッセージを送信することを含む、及び／又は、参照信号アンテナポートがＤＭ−ＲＳアンテナポートである。いくつかの例は、ＤＭ−ＲＳアンテナポート及びスケジューリングメッセージを含みうるが、本明細書に記載の技術は、他の参照信号及びメッセージに対してより一般的に適用可能である。
【００６７】
いくつかの実施形態では、シグナリングは、２パートのシグナリングを含みうる。例えば、第１のビット又はビットセットは、参照信号（例えば、ＤＭ−ＲＳ）が、ＵＥに既知の特定のベースライン・コンフィギュレーションと比べて、ＯＦＤＭベース送信に関連する時間‐周波数グリッド上でどのようにマッピング又は高密度化されるかを、無線デバイスに知らせるために使用されうる。第２のビットセットは、実際のランク及び／又は送信ポートの選択を知らせるために使用されうる。この高密度化及びシグナリングの手順が、図８Ａの表１によって与えられる対応するシグナリングと共に、図９から図１１において以下で例示される。これらの例では、ＤＭ−ＲＳが代表的な参照信号として使用されている。
【００６８】
図９の上部に示されるベースライン・パターンから、物理リソースブロック（ＰＲＢ）当たり、レイヤ（アンテナポート）当たり３つのリソースエレメントのみが、ＤＭ−ＲＳ用に周波数領域において使用されていることが分かる。いくつかのシナリオでは、これは正確な復調のためには不十分な密度になる。
【００６９】
図９のＤＭ−ＲＳコム構成のいくつかのレイヤについてより密なパターンを得るための１つの方法は、ポート０及び４とポート１及び５とを、２つの新しいポート（ここではポート８及び９と称される）にマージすることである。図９の下部にはこのマージャが示されている。図９の左側の下部には、上部のベースライン・コンフィギュレーションのポート０及び４又はポート１及び５に使用されているリソースエレメントの２倍の数のリソースエレメントが、ポート８及び９に使用されている。図９の右側に進むと、このマージャの後はポート０、１、４及び５が使用されていないことが分かる。この特定の例では、ポート２、３、６及び７用のＤＭ−ＲＳは同じままである。なお、ポートの番号付け/ラベル付け、及びマージするポートのペアの選択は任意であり、設計ごとに変化してもよい。図９は、２つのペアのアンテナポートとそれらの対応するＤＭ−ＲＳとをマージして、２倍の密度のＤＭ−ＲＳを有する、アンテナポートの新しいペアを形成する一例を単に示している。
【００７０】
このマージの結果、ランク６より高いランクをいずれのユーザにも割り当てることができなくなる。ただし、これはこのシグナリングに必要なビット数が少ないことを意味することに留意されたい。２ペアのポートのこのマージについての他の結果は、結果として得られるＯＦＤＭシンボル／スロット内のポートが、不均一なＤＭ−ＲＳ密度を有することである。ポート８及び９は、より低い最大ポートの番号をサポートするという代償を払って、残りのポートよりも高いポート密度を有する。これには実際にいくつかの利点がある。第１に、制御情報若しくはＨＡＲＱ−ＡＣＫ情報等の、よりエラーに敏感な送信情報を、又は、次世代の無線システムで重要になると予想される超高信頼性・低遅延（ＵＲＬＬＣ）ユースケース等の、より高い信頼性を有するデータを、送信／復調するために、より高いＤＭ−ＲＳ密度を有するポートを使用できる。
【００７１】
図９に示される例示的な高密度化は、他のペアのポートの高密度化を提供するために、及び／又は、更なる高密度化を提供するために拡張可能である。図１０及び図１１はそれぞれ、最高ランク６からランク４への移行時、及び最高ランク４からランク２への移行時の、ＤＭ−ＲＳパターンの更なる高密度化と、使用可能なポートの制限との手順を示している。
【００７２】
より具体的には、図１０は、対応して高密度化されたＤＭ−ＲＳとともに、新しいポート１０及び１１をもたらすために、図９に示される高密度化を、ポート２及び６とポート３及び７とのマージを含むように拡張する方法を示している。この場合も、ポート１０及び１１が、ポート２及び６とポート３及び７とのいずれについてのＤＭ−ＲＳの密度の２倍の密度のＤＭ−ＲＳを有することが分かる。しかし、４つのポート（ポート８、９、１０、１１）及び対応する使用可能なＤＭ−ＲＳしか存在しないため、結果として得られるコンフィギュレーションは最大４レイヤＭＩＭＯ送信のみをサポートする。
【００７３】
図１１は、更なる高密度化を提供するために同じアプローチをどのように拡張できるかを示している。図１１の上部は、図１０に示したように、６ポート・コンフィギュレーションから４ポート・コンフィギュレーションに移行した結果を示している。図１１の下部は、新しいポート１２及び１３を生じさせるための、ポート８及び９とポート１０及び１１とのマージャを示している。これらの新しいポートは、始まりのポート０−７のいずれかの密度の４倍、ポート８−１１の密度の２倍の密度を有している。しかし、その結果は、１又は２レイヤのみの送信をサポートするコンフィギュレーションである。
【００７４】
当然ながら、図９−図１２に示す様々な高密度化パターンを、例えば、マルチレイヤ送信における異なるレイヤに対して異なる密度のＤＭ−ＲＳをＵＥに提供するために使用できる。これらの様々なパターンを、更に又は代わりに、ＭＵ−ＭＩＭＯ送信のために、異なるＤＭ−ＲＳ密度を異なるＵＥに提供するために使用できる。
【００７５】
コムベースのＤＭ−ＲＳパターンを高密度化する上述の技術は、低い立方メトリック（cubic metric）が必要であり、かつ、高度なチャネル推定器が実現可能である場合に特に適した、異なる複数のポートをマージする方法の一例である。これらの技術は、例えば、低電力ＵＥが送信しており、かつ、進化型の基地局がチャネル推定を行っている無線ネットワークにおける上りリンクで使用されうる。いくつかの他の実施形態では、図１２に示すコンフィギュレーション例に示すように、アンテナポートのペアとそれらの対応するＤＭ−ＲＳとのマージは、それらのＤＭ−ＲＳに対する隣接リソースエレメントを使用するアンテナポートのペアを使用して、代わりに実行される。図１２に示すように、アンテナポート０及び４とそれらのＤＭ−ＲＳが、アンテナポート２及び６とそれらのＤＭ−ＲＳとマージされて、新しいポート８及び９が得られる。このペアリング／マージにより、結果として得られるポート８及び９用のＤＭ−ＲＳは、（周波数領域において）直接隣接するリソースエレメントのペアを占有する。
【００７６】
図１２に示されるアプローチは、例えば下りリンクにおいて、基地局が複数ＵＥのセットに送信中であり、かつ、例えば電力及び計算上の制約に起因して、より単純なチャネル推定手順がＵＥに望まれる場合に使用されうる。図１２は、最高ランク８から最高ランク６への高密度化及びポート制限を示している。ＤＭ−ＲＳパターンを更に高密度化し、かつ、図１２の使用可能なポートを制限する手順は、上述した、図１０及び図１１で示したのと同じ原理に従う。
【００７７】
適応的に密度の高いＤＭ−ＲＳポートを選択的に使用するための他のユースケースは、共有参照信号の使用であり、これらの参照信号は、潜在的に広帯域であり、送信ノードによってサービスされる複数のユーザ間で共有される。上記で示唆したように、不均一なＤＭ−ＲＳ密度の更に他のユースケースは、１ユーザが、より悪いＳＩＮＲ状態を有し、かつ、より良いＳＩＮＲを有するユーザと比較してＤＭ−ＲＳに対してより多くのエネルギーを必要とするＭＵ−ＭＩＭＯスケジューリングにおいて、ＤＭ−ＲＳ密度を適応させることである。
【００７８】
上記で簡単に述べたように、本明細書に記載の構造化された技術によるＤＭ−ＲＳの高密度化の増大は、サポートされるアンテナポートの数の減少に相当し、それ故に、送信用の可能性のある最大ランクの減少に相当する。高密度化の増大と最大ランクの減少との間のこの相関関係は、任意の所与の時間に使用されているＤＭ−ＲＳパターンをシグナリングするのに必要なビット数と、対応する最大ランクとを最小にするために使用されうる。
【００７９】
図８Ａの表１は、特定のＤＭ−ＲＳパターンについて、使用可能なポートのセットと関連するランク制限との両方を知らせるために２ビットが使用されるシグナリングに対する例示的なアプローチを示す。この表は、ランク及びＤＭ−ＲＳに対する特定のマッピング関数の規定はしていないことが分かり、むしろ、この表は、この情報をシグナリングするためのビット数が、可能性のある使用可能なＤＭ−ＲＳの数、即ち、サポートされる最大ランクに比例することを単に例示している。
【００８０】
いくつかの実施形態では、及びデータ伝送を受信する際にどの特定のポートを使用するか及びレイヤの数の表示は、スケジューリングＤＣＩメッセージでＵＥに示される。この明示的シグナリングは、異なるＵＥ間で直交するアンテナポートを使用してＭＵ−ＭＩＭＯスケジューリングを使用することを可能にし、図９乃至図１１に例示するように、使用されるポートは異なるＤＭ−ＲＳ密度を有し、ポート０−７は最も低いＤＭ−ＲＳ密度を有し、ポート８−１１は中程度のＤＭ−ＲＳ密度を有し、ポート１２−１３は最も高いＤＭ−ＲＳ密度を有する。
【００８１】
なお、ここでは、スケジューリング情報（即ち、与えられた下りリンク時間‐周波数リソースを示し、かつ、それらのリソースで送信されるデータに適用される変調及び符号化方式を示す情報）を運ぶ下りリンクメッセージを指すために、ＬＴＥからの用語が使用されている。本開示の技術を採用するシステムは、異なる用語を使用して説明される、ＬＴＥで使用されるものとは異なるフォーマットを有するスケジューリングメッセージを使用してもよい。
【００８２】
いくつかの実施形態では、以下のＭＵ−ＭＩＭＯスケジューリング例が可能であるが、必ずしも排他的ではない。なお、以下で提供される「値」は、いくつかの実施形態ではＤＣＩメッセージでＵＥにシグナリングされうる、図８Ｂの表におけるエントリを指す。
【００８３】
同じポート密度でＵＥ１及びＵＥ２を同時にスケジューリングする場合、例には以下が含まれうる：２つのランク１送信（例えば、ポート０及び１：値０及び１）；２つのランク２送信（例えば、ポート０−１及び２−３：値４及び５）；又は、２つのランク２送信（例えば、ポート８−９及び１０−１１：値１１及び１３）。異なるポート密度でＵＥ１及びＵＥ２を同時にスケジューリングする場合、例には以下が含まれうる：２つのランク１送信（例えば、ポート２及び８：値２及び１）；又は、ランク２及びランク４送信（例えば、ポート８−９及び２−３−６−７：値１１及び９）。
【００８４】
また、図８Ｂの表２から分かるように、単一のＵＥに対して、「値」パラメータをＵＥへシグナリングすることによって提供される動的な表示を使用して、例えば、ランク１については値０、１０及び１４に対応する、及び、ランク２については値４、１１及び１５に対応する、３つの異なるＤＭ−ＲＳ密度のいずれかを用いてランク１又はランク２の送信をスケジューリングすることが可能である。
【００８５】
上記の説明および詳細な例を念頭に置いて、図１３は、受信信号のリソースエレメントへの、種々のアンテナポートについての参照信号（この例示的な処理ではＤＭ−ＲＳ信号）のマッピングと、ＤＭ−ＲＳポートの最大数（即ち、マルチレイヤ送信のための可能性のある最大ランク）との両方を示すシグナリングビットを復号及び適用するための例示的な方法１３００を示す処理フローチャートであることが理解されよう。ブロック１３０２に示すように、示された方法１３００は、例えばＤＣＩメッセージ内の第１のビットセットを復号することから始まり、ここで、第１のビットセットは、リソースエレメントへのポートのマッピングを示す。より具体的には、第１のビットセットは、使用可能なポートの複数の可能性のあるセットからの使用可能なポートの特定のセットを示し、更にそのセット内の各ポートについてのＤＭ−ＲＳの密度を示す。図８Ａの表１に示したように、これは、可能性のあるビット系列と使用可能なポートのセットとの間に所定の関連付けがあることを想定すると、２ビットのみを使用して最大８レイヤの送信をサポートするシステムで行われうる。例えば、図８Ａに示すように、００の２ビット系列は、使用可能なポートセットがポート０−７から成ることを示し、１１の２ビット系列は、使用可能なポートセットがポート１２及び１２のみから成ることを示す。受信デバイス（例えば、ＵＥ）は、ポート０−７が特定の（低密度の）ＤＭ−ＲＳパターンを有し、ポート１２及び１３が異なる高密度のＤＭ−ＲＳパターンを有することを、以前に設定された情報から知るであろう。
【００８６】
ブロック１３０４に示すように、ＤＭ−ＲＳポートの最大数（それ故に、送信用の最大ランク）は、第１のビットセットから決定されうる。図８Ａのマッピングを使用すると、例えば、受信デバイスは、ビット系列００が、サポートされる最大ランク８を示し、ビット系列１１が、サポートされる最大ランク２を示すことを知るであろう。
【００８７】
この時点で、受信デバイスは、送信されたＤＭ−ＲＳパターン、及びそれらのアンテナポートへのマッピングを知っているが、どのポートが受信デバイスに対してスケジュールされているのかを具体的には知らない。この後者の情報は、第２のビットセットを用いてシグナリングされうる。第１のビットセットはサポートされる最大ランクを示すので、第２のビットセットの最も効率的な符号化は、第１のビットセットの内容に依存するか、又は同様に、第１のビットセットによって示される、サポートされる最大ランクに依存する。例えば、第１のビットセットが、サポートされる最大ランク２を（例えば、図８Ａに示すように１１のビット系列で）示す場合、第２のビットセットは、ポート１２及び１３のいずれか（ランク１の送信の場合）又は両方（ランク２の場合）が受信デバイスに対してスケジューリングされていることをシグナリングするための２ビットを含むだけでよい。一方、最初の２ビットが、例えば図９の上部に示すようにポート０−７のいくつか又は全てを使用して、最大８レイヤの送信が使用可能であることを示す場合には、許可された各送信ランクに対して許されるポートについての異なる組み合わせの数に応じて、スケジューリングされた送信のランクと対応するポートとを示すために、４又は５ビットが必要とされうる。同様に、最初の２ビットが、例えば図１０の下部に示すようにポート８−１１を使用して、最大４レイヤの送信のみが使用可能であることを示す場合には、同様に、許可された各送信ランクに対して許されるポートについての異なる組み合わせの数に応じて、スケジューリングされた送信のタンクと対応するポートとを示すために、おそらく３又は４ビットが必要とされうる。
【００８８】
したがって、本開示の技術によるいくつかのシグナリング方式では、ビットの数と、第２のビットセット内のビットの特定の符号化との両方が、第１のビットセットで運ばれる値に依存しうることが分かる。このため、図１３のブロック１３０６は、示された方法が、第１のビットセットによって示されるポートの最大数から、受信された第２のビットセット内のビットについての数及び特定の符号化方式の両方を推定することを含むことを示している。ブロック１３０８に示すように、（第１のビットによって運ばれる値に応じて数が変化しうる）この第２のビットセットの内容は、その後、ＤＭ−ＲＳポートの特定のセットにマッピングされる。上記のように、いくつかの実施形態では、このマッピングは、第１のビットセットによって運ばれる値に依存する。当然ながら、このアプローチは、送信ランク及び具体的に使用されるポートの表示と共に、適応可能な密度の特定のＤＭ−ＲＳパターンを示す際に大きな柔軟性を提供する一方で、シグナリングされるビットの数をできるだけ低く維持することも可能にする。
【００８９】
なお、方法５００は、無線デバイスと通信する基地局等のネットワークノードで実行されるように説明され、方法７００及び１３００は、無線デバイスで実行されるように説明されているが、方法５００、７００及び１３００は、より一般的には、第１及び第２の無線ノードに適用可能である。場合によっては、ネットワークノード３０は、方法７００及び１３００を実行するように構成されてもよく、無線デバイス５０は、方法５００を実行するように構成されてもよい。
【００９０】
上記で詳しく説明したように、本明細書に記載の技術は、例えば、図５、７及び１３の処理フローチャートに示すように、１つ以上のプロセッサによって実行されるコンピュータプログラム命令を使用して、全体的に又は部分的に実施されてもよい。当然ながら、これらの技術の機能的実装は、機能モジュール単位で表されてもよく、この場合、各機能モジュールは、適切なプロセッサで実行されるソフトウェアの機能単位、機能的なデジタルハードウェア回路、又はその両方の何らかの組み合わせに対応する。
【００９１】
例えば、図１４は、第１の無線ノード、又は基地局等のネットワークノード３０において実行されるような機能的実装を示すブロック図である。本実装は、所与の送信時間インターバルにおける１つ以上の他の無線ノードへのデータの送信又は１つ以上の他の無線ノードからのデータの受信に用いられる参照信号（例えば、ＤＭ−ＲＳ）アンテナポートのセットを、使用可能な参照信号アンテナポートの複数のセットから選択するための選択モジュール１４０２を含み、参照信号アンテナポートの複数のセットは、周波数次元、時間次元、又はその両方において異なる参照信号密度を有する複数の参照信号アンテナポートを含む。本実装は更に、第２の無線ノードに対する参照信号の割り当てを示すメッセージ（例えば、スケジューリングメッセージ）を当該第２の無線ノードへ送信するための送信モジュール１４０４を含み、当該メッセージは、参照信号アンテナポートの選択されたセットの表示を含む。
【００９２】
図１５は、第２の無線ノード、又はＵＥ等の無線デバイス５０において実行されるような機能的実装を示すブロック図である。本実装は、第２の無線ノードに対する参照信号の割り当てを示すメッセージを、第１の無線ノードから受信するための受信モジュール１５０２を含み、当該メッセージは、第２の無線ノードに既知の、参照信号アンテナポートの使用可能な複数のセットから選択された、参照信号アンテナポートのセットの表示を含み、参照信号アンテナポートの複数のセットは、周波数次元及び／又は時間次元において異なる参照信号密度を有する複数の参照信号アンテナポートを含む。本実装は更に、受信された表示から、参照信号アンテナポートの表示セットを識別するための識別モジュール１５０４を含む。
【００９３】
とりわけ、上述の説明及び関連する図面で提示した教示の恩恵を受ける当業者は、開示した（複数の）発明の変更及び他の実施形態が思い浮かぶであろう。したがって、開示した特定の実施形態及びその変更に（複数の）発明が限定されないこと、及び本開示の範囲内に他の実施形態が含まれることが意図されていることは、理解されるべきである。本明細書では特定の用語が採用されうるが、それらは、一般的及び記述的な意味のみで使用されており、限定を目的として使用されてはいない。
【図１】
2019537331.tif 000003
【図２】
2019537331.tif 000004
【図３】
2019537331.tif 000005
【図４】
2019537331.tif 000006
【図５】
2019537331.tif 000007
【図６】
2019537331.tif 000008
【図７】
2019537331.tif 000009
【図８Ａ】
2019537331.tif 000010
【図８Ｂ】
2019537331.tif 000011
【図９】
2019537331.tif 000012
【図１０】
2019537331.tif 000013
【図１１】
2019537331.tif 000014
【図１２】
2019537331.tif 000015
【図１３】
2019537331.tif 000016
【図１４】
2019537331.tif 000017
【図１５】
2019537331.tif 000018
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
第１の無線ノード（３０）における方法（５００）であって、前記方法（５００）は、
所与の送信時間インターバルにおける１つ以上の他の無線ノードへのデータの送信又は１つ以上の他の無線ノードからのデータの受信に用いられる参照信号アンテナポートのセットを、使用可能な参照信号アンテナポートの複数のセットから選択することであって、参照信号アンテナポートの前記複数のセットは、周波数次元、時間次元、又はその両方において異なる参照信号密度を有する複数の参照信号アンテナポートを含む、選択すること（５０２）と、
第２の無線ノード（５０）に対する参照信号の割り当てを示すメッセージを、前記第２の無線ノード（５０）へ送信することであって、前記メッセージは、参照信号アンテナポートの前記選択されたセットの表示を含む、送信すること（５０４）と、を含む方法。
【請求項２】
請求項１に記載の方法（５００）であって、前記メッセージは、参照信号アンテナポートの前記選択されたセットがデータの前記送信又は受信に使用されるマルチレイヤ送信のレイヤ数を示す、方法。
【請求項３】
請求項１又は２に記載の方法（５００）であって、前記メッセージは、複数の値のうちの１つ以上の値を示し、前記示された１つ以上の値は、１つ以上の参照信号アンテナポートの前記選択されたセットに対応し、前記複数の値は、異なる参照信号密度及び／又は参照信号アンテナポートの前記選択されたセットが使用される異なる数のレイヤを有する、複数の参照信号アンテナポートに対応する、方法。
【請求項４】
請求項３に記載の方法（５００）であって、前記複数の値は、使用可能な参照信号アンテナポートの前記複数のセットの全てに対応する、単一セットの値である、方法。
【請求項５】
請求項１から４のいずれか１項に記載の方法（５００）であって、前記メッセージは、マルチレイヤ送信における異なるレイヤについての異なる参照信号密度を、前記第２の無線ノード（５０）に知らせる、方法。
【請求項６】
請求項１から５のいずれか１項に記載の方法（５００）であって、データの前記送信又は受信は、マルチレイヤ多入力多出力（ＭＩＭＯ）送信の１つ以上のレイヤで行われる、方法。
【請求項７】
第１の無線ノード（３０）であって、前記第１の無線ノード（３０）は、
所与の送信時間インターバルにおける１つ以上の他の無線ノードへのデータの送信又は１つ以上の他の無線ノードからのデータの受信に用いられる参照信号アンテナポートのセットを、使用可能な参照信号アンテナポートの複数のセットから選択し、ここで、参照信号アンテナポートの前記複数のセットは、周波数次元、時間次元、又はその両方において異なる参照信号密度を有する複数の参照信号アンテナポートを含み、
第２の無線ノード（５０）に対する参照信号の割り当てを示すメッセージを、前記第２の無線ノード（５０）へ送信する、ように構成され、前記メッセージは、参照信号アンテナポートの前記選択されたセットの表示を含む、第１の無線ノード。
【請求項８】
請求項７に記載の第１の無線ノード（３０）であって、前記メッセージは、参照信号アンテナポートの前記選択されたセットがデータの前記送信又は受信に使用されるマルチレイヤ送信のレイヤ数を示す、第１の無線ノード。
【請求項９】
請求項７又は８に記載の第１の無線ノード（３０）であって、前記メッセージは、複数の値のうちの１つ以上の値を示し、前記示された１つ以上の値は、１つ以上の参照信号アンテナポートの前記選択されたセットに対応し、前記複数の値は、異なる参照信号密度及び／又は参照信号アンテナポートの前記選択されたセットが使用される異なる数のレイヤを有する、複数の参照信号アンテナポートに対応する、第１の無線ノード。
【請求項１０】
請求項９に記載の第１の無線ノード（３０）であって、前記複数の値は、使用可能な参照信号アンテナポートの前記複数のセットの全てに対応する、単一セットの値である、第１の無線ノード。
【請求項１１】
請求項７から１０のいずれか１項に記載の第１の無線ノード（３０）であって、前記メッセージは、マルチレイヤ送信における異なるレイヤについての異なる参照信号密度を、前記第２の無線ノード（５０）に知らせる、第１の無線ノード。
【請求項１２】
請求項７から１１のいずれか１項に記載の第１の無線ノード（３０）であって、前記参照信号アンテナポートは、符号‐時間‐周波数グリッド上のマッピングに対応する、第１の無線ノード。
【請求項１３】
第２の無線ノード（５０）における方法（７００）であって、前記方法（７００）は、
前記第２の無線ノード（５０）に対する参照信号の割り当てを示すメッセージを、第１の無線ノード（３０）から受信することであって、前記メッセージは、前記第２の無線ノード（５０）に既知の、参照信号アンテナポートの使用可能な複数のセットから選択された、参照信号アンテナポートのセットの表示を含み、参照信号アンテナポートの前記複数のセットは、周波数次元、時間次元、又はその両方において異なる参照信号密度を有する複数の参照信号アンテナポートを含む、受信すること（７０２）と、
前記受信された表示から、参照信号アンテナポートの表示セットを識別すること（７０４）と、を含む方法。
【請求項１４】
請求項１３に記載の方法（７００）であって、前記メッセージは、参照信号アンテナポートの前記選択されたセットがデータの送信又は受信に使用されるマルチレイヤ送信のレイヤ数を示す、方法。
【請求項１５】
請求項１３又は１４に記載の方法（７００）であって、前記メッセージは、複数の値のうちの１つ以上の値を示し、前記示された１つ以上の値は、１つ以上の参照信号アンテナポートの前記選択されたセットに対応し、前記複数の値は、異なる参照信号密度及び／又は参照信号アンテナポートの前記選択されたセットが使用される異なる数のレイヤを有する、複数の参照信号アンテナポートに対応する、方法。
【請求項１６】
請求項１５に記載の方法（７００）であって、前記複数の値は、使用可能な参照信号アンテナポートの前記複数のセットの全てに対応する、単一セットの値である、方法。
【請求項１７】
請求項１３から１６のいずれか１項に記載の方法（７００）であって、前記メッセージは、マルチレイヤ送信における異なるレイヤについての異なる参照信号密度を、前記第２の無線ノード（５０）に知らせる、方法。
【請求項１８】
請求項１３から１７のいずれか１項に記載の方法（７００）であって、データの送信又は受信は、マルチレイヤ多入力多出力（ＭＩＭＯ）送信の１つ以上のレイヤで行われる、方法。
【請求項１９】
第２の無線ノード（５０）であって、前記第２の無線ノード（５０）は、
前記第２の無線ノード（５０）に対する参照信号の割り当てを示すメッセージを、第１の無線ノード（３０）から受信し、ここで、前記メッセージは、前記第２の無線ノードに既知の、参照信号アンテナポートの使用可能な複数のセットから選択された、参照信号アンテナポートのセットの表示を含み、参照信号アンテナポートの前記複数のセットは、周波数次元、時間次元、又はその両方において異なる参照信号密度を有する複数の参照信号アンテナポートを含み、
前記受信された表示から、参照信号アンテナポートの表示セットを識別する、ように構成される、第２の無線ノード。
【請求項２０】
請求項１９に記載の第２の無線ノード（５０）であって、前記メッセージは、参照信号アンテナポートの前記選択されたセットがデータの送信又は受信に使用されるマルチレイヤ送信のレイヤ数を示す、第２の無線ノード。
【請求項２１】
請求項１９又は２０に記載の第２の無線ノード（５０）であって、前記メッセージは、複数の値のうちの１つ以上の値を示し、前記示された１つ以上の値は、１つ以上の参照信号アンテナポートの前記選択されたセットに対応し、前記複数の値は、異なる参照信号密度及び／又は参照信号アンテナポートの前記選択されたセットが使用される異なる数のレイヤを有する、複数の参照信号アンテナポートに対応する、第２の無線ノード。
【請求項２２】
請求項２１に記載の第２の無線ノード（５０）であって、前記複数の値は、使用可能な参照信号アンテナポートの前記複数のセットの全てに対応する、単一セットの値である、第２の無線ノード。
【請求項２３】
請求項１９から２２のいずれか１項に記載の第２の無線ノード（５０）であって、前記メッセージは、マルチレイヤ送信における異なるレイヤについての異なる参照信号密度を、前記第２の無線ノード（５０）に知らせる、第２の無線ノード。
【請求項２４】
請求項１９から２３のいずれか１項に記載の第２の無線ノード（５０）であって、データの送信又は受信は、マルチレイヤ多入力多出力（ＭＩＭＯ）送信の１つ以上のレイヤで行われる、第２の無線ノード。
【国際調査報告】
2019537331.tif 000019
2019537331.tif 000020
2019537331.tif 000021
2019537331.tif 000022
2019537331.tif 000023